【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
本体部、および
本体部に接続される複数のプローブ
を含んで成り、
各プローブが接触先端部を有するスプリングバイアス・ピンを有し、
各ピンがピンを受容するスリーブ部分を含み、および
各スリーブ部分が引き込み導線に接続される第１端部と、本体部に接続され、およびピンの突き出る第２端部と、本体部に接触しないで懸架される中間部分とを有する、電気コネクタ。
【請求項２】
各スリーブが、隣接するスリーブに対して介在物質なしに離間している、請求項１に記載のコネクタ。
【請求項３】
スリーブが、その端部を除いて空気中に懸架され、および隣接するスリーブに対して各々離間している、請求項１に記載のコネクタ。
【請求項４】
本体部に接続される複数の同軸ケーブルを含んで成り、各ケーブルが導電性シールドで取り囲まれた信号導線を有し、プローブがアレイ状に配置され、１つおきのプローブがそれぞれの信号導線に接続され、および残りのプローブがシールドに接続される、請求項１に記載のコネクタ。
【請求項５】
シールドに接続されるスリーブの第２端部が、シールドに対して交互パターンで組み合わされる、請求項４に記載のコネクタ。
【請求項６】
スリーブの第１端部が、パッドの第１アレイのそれぞれの金属化パッドに各々接続される、請求項４に記載のコネクタ。
【請求項７】
本体部が、スリーブをその第１端部にて支持する第１直線状部分と、スリーブの少なくとも一部をその第２端部にて支持する第１部分から離間した第２直線状部分とを有する回路要素である、請求項１に記載のコネクタ。
【請求項８】
本体部が、スリーブの端部を支持し、およびスリーブの中間部分に対して位置合わせされる開口部を有するフレームである、請求項１に記載のコネクタ。
【請求項９】
本体部が、スリーブの端部がはんだ付けされる金属化表面部分を含んで成る、請求項１に記載のコネクタ。
【請求項１０】
スリーブが２つのサブセットを含んで成り、各サブセットの構成要素が互い違いになっており、および一方のサブセットの構成要素であるスリーブの第１端部が他方のサブセットの構成要素の第１端部を超えて延在する、請求項１に記載のコネクタ。
【請求項１１】
導電性表面部分のパターンを有する回路基板を含む回路要素、
基板に接続される複数のスリーブであって、回路要素の第１周状縁部分を超えて延在するスプリングピンを各々が有するスリーブ、および
スリーブに電気的に接続される複数の導線を有するケーブル
を含んで成る、ケーブルアセンブリ。
【請求項１２】
ケーブルが、信号導線および外側シールドを各々有する複数の同軸ワイヤを含んで成り、およびスリーブの第１サブセットが、それぞれの信号導線に接続される１つおきのスリーブと、シールドに接続される残りのスリーブとを有する、請求項１１に記載のアセンブリ。
【請求項１３】
第１サブセットのスリーブの端部分が、シールドの端部分に対して交互配置で組み入れられる、請求項１１に記載のアセンブリ。
【請求項１４】
各スリーブが対向する端部および中間部分を有し、および回路要素が中間部分の下方に存在する開口部分を有し、好ましくはスリーブの中間部分が互いに離間している、請求項１１に記載のアセンブリ。
【手続補正２】
【補正対象書類名】明細書
【補正対象項目名】０００５
【補正方法】変更
【補正の内容】
【０００５】
発明の要旨
本発明は、多数のプローブを備える本体部（またはボディ）を有する電気コネクタを提供することにより、従来技術における制限を克服するものである。各プローブは、接触先端部を備えるスプリングバイアス（またはスプリングで偏向させた）・ピンを有し、およびこのピンを受容するスリーブを含んで成る。各スリーブは、引き込み導線に接続される第１端部と、本体部に接続され、およびピンの突き出る第２端部と、本体部に接触しないで懸架される中間部分とを有する。スリーブは隣接するスリーブに対して離間させてよく、およびその端部（または両端部）を除いて空気中に懸架させ得る。プローブは同軸ケーブルに各々接続させ得、交互のプローブを同軸ケーブルシールドおよび信号導線へ交互になるように接続させ得る。
本発明は以下の態様を含み得る。
（態様１）
本体部、および
本体部に接続される複数のプローブ
を含んで成り、
各プローブが接触先端部を有するスプリングバイアス・ピンを有し、
各ピンがピンを受容するスリーブ部分を含み、および
各スリーブ部分が引き込み導線に接続される第１端部と、本体部に接続され、およびピンの突き出る第２端部と、本体部に接触しないで懸架される中間部分とを有する、電気コネクタ。
（態様２）
各スリーブが、隣接するスリーブに対して介在物質なしに離間している、態様１に記載のコネクタ。
（態様３）
スリーブが、その端部を除いて空気中に懸架され、および隣接するスリーブに対して各々離間している、態様１に記載のコネクタ。
（態様４）
本体部に接続される複数の同軸ケーブルを含んで成り、各ケーブルが導電性シールドで取り囲まれた信号導線を有し、プローブがアレイ状に配置され、１つおきのプローブがそれぞれの信号導線に接続され、および残りのプローブがシールドに接続される、態様１に記載のコネクタ。
（態様５）
シールドに接続されるスリーブの第２端部が、シールドに対して交互パターンで組み合わされる、態様４に記載のコネクタ。
（態様６）
スリーブの第１端部が、パッドの第１アレイのそれぞれの金属化パッドに各々接続される、態様４に記載のコネクタ。
（態様７）
本体部が周状縁部を有し、およびピンが本体部を超えて延在する、態様１に記載のコネクタ。
（態様８）
各プローブが、プローブの先端部からプローブの全長に亘ってスプリングと接触するプローブの反対側端部へ、スプリングを通ってスリーブの接触部へ、そして残りのスリーブ部分を通って引き込み導線へ達する略直線状導電性パスを提供し、よって、導電性パスがピンの中間部分とスリーブの第１部分との間で起こり得る横方向接触によらないようになっている、態様１に記載のコネクタ。
（態様９）
本体部が、スリーブをその第１端部にて支持する第１直線状部分と、スリーブの少なくとも一部をその第２端部にて支持する第１部分から離間した第２直線状部分とを有する回路要素である、態様１に記載のコネクタ。
（態様１０）
本体部が、スリーブの端部を支持し、およびスリーブの中間部分に対して位置合わせされる開口部を有するフレームである、態様１に記載のコネクタ。
（態様１１）
本体部が、スリーブの端部がはんだ付けされる金属化表面部分を含んで成る、態様１に記載のコネクタ。
（態様１２）
金属化表面部分が、隣接する引き込み導線間に各々配置されるパッドの第１アレイを含んで成る、態様１１に記載のコネクタ。
（態様１３）
引き込み導線が周囲を取り囲むシールドを含んで成り、およびシールドが第１アレイの隣接するパッドに接続される、態様１２に記載のコネクタ。
（態様１４）
シールドが第１アレイにて互いに接続される、態様１３に記載のコネクタ。
（態様１５）
スリーブが２つのサブセットを含んで成り、各サブセットの構成要素が互い違いになっており、および一方のサブセットの構成要素であるスリーブの第１端部が他方のサブセットの構成要素の第１端部を超えて延在する、態様１に記載のコネクタ。
（態様１６）
導電性表面部分のパターンを有する（回路基板を含む）回路要素、
基板に接続される複数のスリーブであって、回路要素の第１周状縁部分を超えて延在するスプリングピンを各々が有するスリーブ、および
スリーブに電気的に接続される複数の導線を有するケーブル
を含んで成る、ケーブルアセンブリ。
（態様１７）
ケーブルが、信号導線および外側シールドを各々有する複数の同軸ワイヤを含んで成り、およびスリーブの第１サブセットが、それぞれの信号導線に接続される１つおきのスリーブと、シールドに接続される残りのスリーブとを有する、態様１６に記載のアセンブリ。
（態様１８）
第１サブセットのスリーブの端部分が、シールドの端部分に対して交互配置で組み入れられる、態様１６に記載のアセンブリ。
（態様１９）
各スリーブが対向する端部および中間部分を有し、および回路要素が中間部分の下方に存在する開口部分を有し、好ましくはスリーブの中間部分が互いに離間している、態様１６に記載のアセンブリ。